(57)【要約】【課題】  ＩＰテレビ電話端末間の両利用者が、呼接続中に、特定の映像コンテンツデータの再生画像を同時に見ながら会話を進めることができるような、映像コンテンツデータの再生方法、ＩＰテレビ電話端末及びコンテンツ再生プログラムを提供する。【解決手段】  第１の端末が、予め蓄積している映像コンテンツデータを第２の端末へ送信する第１のステップと、第２の端末が、映像コンテンツデータの受信を完了した際に、第１の端末へ再生開始メッセージを送信し、その後、映像コンテンツデータを再生する第２のステップと、第１の端末が、再生開始メッセージを受信した際に、映像コンテンツデータを再生する第３のステップとを有する。【選択図】  図２
2006229726.tif 000002
【特許請求の範囲】
【請求項１】
ＩＰネットワークに接続された電話端末間の呼接続中における映像コンテンツデータの再生方法であって、
第１の端末が、予め蓄積している映像コンテンツデータを第２の端末へ送信する第１のステップと、
前記第２の端末が、前記映像コンテンツデータの受信を完了した際に、前記第１の端末へ再生開始メッセージを送信し、その後、前記映像コンテンツデータを再生する第２のステップと、
前記第１の端末が、前記再生開始メッセージを受信した際に、前記映像コンテンツデータを再生する第３のステップと
を有することを特徴とする映像コンテンツデータの再生方法。
【請求項２】
ＩＰネットワークに接続された電話端末間の呼接続中における映像コンテンツデータの再生方法であって、
第１の端末が、映像コンテンツデータの蓄積されたコンテンツ配信サーバのアドレスを含むコンテンツ情報通知メッセージを、第２の端末へ送信する第１のステップと、
前記第２の端末が、前記サーバのアドレスに対してコンテンツ要求メッセージを送信し、該サーバから前記映像コンテンツデータを受信し、該映像コンテンツデータの受信が完了した際に、前記第１の端末へ再生開始メッセージを送信し、その後、前記映像コンテンツデータを再生する第２のステップと、
前記第１の端末が、前記再生開始メッセージを受信した際に、前記映像コンテンツデータを再生する第３のステップと
を有することを特徴とする映像コンテンツデータの再生方法。
【請求項３】
前記映像コンテンツデータは、ストリーミングデータにおける複数の分割データからなり、
前記第２のステップは、最初の分割データの受信を完了した際に、前記第１の端末へ再生開始メッセージを送信し、その後、継続する分割データを受信しつつ再生する
ことを特徴とする請求項１又は２に記載の映像コンテンツデータの再生方法。
【請求項４】
前記第３のステップについて、前記第１の端末が、前記再生開始メッセージを受信した際に、更に、再生開始確認メッセージを前記第２の端末へ送信し、
前記第２の端末は、前記再生開始確認メッセージを受信した際に、前記映像コンテンツデータを再生することを特徴とする請求項１から３のいずれか１項に記載の映像コンテンツデータの再生方法。
【請求項５】
ＩＰネットワークに接続し、呼接続中に映像コンテンツデータを再生することができる電話端末であって、
映像コンテンツデータを蓄積する送信データフォルダ手段と、
前記送信データフォルダ手段に蓄積された前記映像コンテンツデータを再生する送信映像再生手段と、
相手方端末から再生開始メッセージを受信した際に、前記映像コンテンツデータの再生開始を前記送信映像再生手段へ指示する送信側再生制御手段と、
相手方端末から受信した映像コンテンツデータを蓄積する受信データフォルダ手段と、
前記受信データフォルダ手段に蓄積された前記映像コンテンツデータを再生する受信映像再生手段と、
相手方端末から送信された前記映像コンテンツデータの受信が完了した際に、前記相手方端末へ再生開始メッセージを送信し、その後、前記映像コンテンツデータの再生開始を前記受信映像再生手段へ指示する受信側再生制御手段と
を有することを特徴とする電話端末。
【請求項６】
ＩＰネットワークに接続し、呼接続中に映像コンテンツデータを再生することができる電話端末であって、
コンテンツ配信サーバから受信した映像コンテンツデータを蓄積する受信データフォルダ手段と、
前記受信データフォルダ手段に蓄積された映像コンテンツデータを再生する受信映像再生手段と、
相手方端末から再生開始メッセージを受信した際に、前記映像コンテンツデータの再生開始を前記受信映像再生手段へ指示する送信側再生制御手段と、
前記サーバから送信された映像コンテンツデータの受信が完了した際に、前記相手方端末へ再生開始メッセージを送信し、その後、前記映像コンテンツデータの再生開始を前記受信映像再生手段へ指示する受信側再生制御手段と
を有することを特徴とする電話端末。
【請求項７】
前記映像コンテンツデータは、ストリーミングデータにおける複数の分割データからなり、
前記受信側再生制御手段は、最初の分割データの受信を完了した際に、前記相手方端末へ再生開始メッセージを送信するように制御し、その後、継続する分割データを受信しつつ再生するように前記受信映像再生手段に指示することを特徴とする請求項５又は６に記載の電話端末。
【請求項８】
前記送信側再生制御手段は、前記再生開始メッセージを受信した際に、更に、再生開始確認メッセージを前記相手方端末へ送信し、
前記受信側再生制御手段は、前記再生開始確認メッセージを受信した際に、前記映像コンテンツデータを再生するように前記受信映像再生手段を制御することを特徴とする請求項５から７のいずれか１項に記載の電話端末。
【請求項９】
ＩＰネットワークに接続し、呼接続中に映像コンテンツデータを再生することができる電話端末に搭載されたコンピュータを機能させるコンテンツ再生プログラムであって、
映像コンテンツデータを予め蓄積する送信データフォルダ手段と、
前記送信データフォルダ手段に蓄積された前記映像コンテンツデータを再生する送信映像再生手段と、
相手方端末から再生開始メッセージを受信した際に、前記映像コンテンツデータの再生開始を前記送信映像再生手段へ指示する送信側再生制御手段と、
相手方端末から受信した映像コンテンツデータを蓄積する受信データフォルダ手段と、
前記受信データフォルダ手段に蓄積された前記映像コンテンツデータを再生する受信映像再生手段と、
相手方端末から送信された前記映像コンテンツデータの受信が完了した際に、前記相手方端末へ再生開始メッセージを送信し、その後、前記映像コンテンツデータの再生開始を前記受信映像再生手段へ指示する受信側再生制御手段と
してコンピュータを機能させることを特徴とするコンテンツ再生プログラム。
【請求項１０】
ＩＰネットワークに接続し、呼接続中に映像コンテンツデータを再生することができる電話端末に搭載されたコンピュータを機能させるコンテンツ再生プログラムであって、
コンテンツ配信サーバから受信した映像コンテンツデータを蓄積する受信データフォルダ手段と、
前記受信データフォルダ手段に蓄積された映像コンテンツデータを再生する受信映像再生手段と、
相手方端末から再生開始メッセージを受信した際に、前記映像コンテンツデータの再生開始を前記受信映像再生手段へ指示する送信側再生制御手段と、
前記サーバから送信された映像コンテンツデータの受信が完了した際に、前記相手方端末へ再生開始メッセージを送信し、その後、前記映像コンテンツデータの再生開始を前記受信映像再生手段へ指示する受信側再生制御手段と
してコンピュータを機能させることを特徴とするコンテンツ再生プログラム。
【請求項１１】
前記映像コンテンツデータは、ストリーミングデータにおける複数の分割データからなり、
前記受信側再生制御手段は、最初の分割データの受信を完了した際に、前記相手方端末へ再生開始メッセージを送信するように制御し、その後、継続する分割データを受信しつつ再生するように前記受信映像再生手段に指示するようにコンピュータを機能させることを特徴とする請求項９又は１０に記載のコンテンツ再生プログラム。
【請求項１２】
前記送信側再生制御手段は、前記再生開始メッセージを受信した際に、更に、再生開始確認メッセージを前記第２の端末へ送信し、
前記受信側再生制御手段は、前記再生開始確認メッセージを受信した際に、前記映像コンテンツデータを再生するべく前記受信映像再生手段を制御するようにコンピュータを機能させることを特徴とする請求項９から１１のいずれか１項に記載のコンテンツ再生プログラム。
【発明の詳細な説明】
【技術分野】
【０００１】
本発明は、ＩＰ(Internet Protocol)ネットワークに接続された電話端末に関するものであって、呼接続中に映像コンテンツデータを再生する方法、端末及びプログラムに関する。
【背景技術】
【０００２】
近年、ＩＰネットワークに接続された電話端末が普及してきている。特に、音声データと映像データとを送受信できる電話端末としては、例えばＩＰテレビ電話端末がある。ＩＰテレビ電話とは、インターネットを介して、映像データ及び音声データを端末間でリアルタイムに送受信することによって、相手通話者の映像を見ながら会話をすることができる技術である。電話網のような呼接続サービスを提供するために、インターネットに接続されたＳＩＰ(Session Initiation Protocol)サーバを用いる。
【０００３】
ＩＰテレビ電話機能を搭載した端末は、マイクによって取得された音声データと、カメラによって取得された映像データをエンコードし、両データを多重化したパケットをリアルタイムに相手方端末へ送信する。一方、相手方端末から受信したパケットは、音声データ及び映像データに分離し、各データをデコードし、音声データはスピーカから発声され、映像データはディスプレイによって表示される。
【０００４】
ＩＰテレビ電話機能以外に、一般に、ブラウザ機能を有する端末は、インターネットを介して、コンテンツ配信サーバであるＷｅｂサーバから、映像データ又は音声データのようなコンテンツデータを受信することができる。このコンテンツデータは、端末内でコンテンツ蓄積部に蓄積され、利用者の操作に応じて再生される。
【０００５】
【特許文献１】特開平７−８７０８２号公報
【発明の開示】
【発明が解決しようとする課題】
【０００６】
利用者の要求として、端末間で呼接続され、利用者同士で会話している間に、相手方端末の利用者に対して、特定の映像コンテンツデータを見せたい場合がある。特に、映像コンテンツデータについては、それを再生し、利用者同士で見ながら会話したい場合もある。
【０００７】
しかしながら、端末内に蓄積された映像コンテンツデータの再生を開始する時点は、一般に、端末の利用者の操作に基づく。従って、呼接続中の両端末において同じ映像コンテンツデータを再生するには、両端末間で常に同期を取りながら再生する必要がある（特許文献１参照）。特に、会話中には、相手方端末へ送信した又は相手方端末から受信した映像コンテンツデータを直ぐに再生し、その映像を見ながら会話を進めたい場合もある。
【０００８】
従って、本発明は、電話端末間の両利用者が、呼接続中に、特定の映像コンテンツデータの再生画像を同時に見ながら会話を進めることができるような、コンテンツデータを再生する方法、端末及びプログラムを提供することを目的とする。
【課題を解決するための手段】
【０００９】
本発明は、呼接続中の電話端末間における映像コンテンツデータの再生方法であって、
第１の端末が、予め蓄積している映像コンテンツデータを第２の端末へ送信する第１のステップと、
第２の端末が、映像コンテンツデータの受信を完了した際に、第１の端末へ再生開始メッセージを送信し、その後、映像コンテンツデータを再生する第２のステップと、
第１の端末が、再生開始メッセージを受信した際に、映像コンテンツデータを再生する第３のステップと、を有することを特徴とする。
【００１０】
また、本発明は、呼接続中の電話端末間における映像コンテンツデータの再生方法であって、
第１の端末が、映像コンテンツデータの蓄積されたコンテンツ配信サーバのアドレスを含むコンテンツ情報通知メッセージを、第２の端末へ送信する第１のステップと、
第２の端末が、サーバのアドレスに対してコンテンツ要求メッセージを送信し、該サーバから映像コンテンツデータを受信し、該映像コンテンツデータの受信が完了した際に、第１の端末へ再生開始メッセージを送信し、その後、映像コンテンツデータを再生する第２のステップと、
第１の端末が、再生開始メッセージを受信した際に、映像コンテンツデータを再生する第３のステップと
を有することを特徴とする。
【００１１】
本発明の方法における他の実施形態によれば、
映像コンテンツデータは、ストリーミングデータにおける複数の分割データからなり、
第２のステップは、最初の分割データの受信を完了した際に、第１の端末へ再生開始メッセージを送信し、その後、継続する分割データを受信しつつ再生することも好ましい。
【００１２】
また、本発明の方法における他の実施形態によれば、
第３のステップについて、第１の端末が、再生開始メッセージを受信した際に、更に、再生開始確認メッセージを第２の端末へ送信し、
第２の端末は、再生開始確認メッセージを受信した際に、映像コンテンツデータを再生することも好ましい。
【００１３】
本発明は、ＩＰネットワークに接続し、呼接続中に映像コンテンツデータを再生する電話端末であって、
映像コンテンツデータを蓄積する送信データフォルダ手段と、
送信データフォルダ手段に蓄積された映像コンテンツデータを再生する送信映像再生手段と、
相手方端末から再生開始メッセージを受信した際に、映像コンテンツデータの再生開始を送信映像再生手段へ指示する送信側再生制御手段と、
相手方端末から受信した映像コンテンツデータを蓄積する受信データフォルダ手段と、
受信データフォルダ手段に蓄積された映像コンテンツデータを再生する受信映像再生手段と、
相手方端末から送信された映像コンテンツデータの受信が完了した際に、相手方端末へ再生開始メッセージを送信し、その後、映像コンテンツデータの再生開始を受信映像再生手段へ指示する受信側再生制御手段と
を有することを特徴とする。
【００１４】
また、本発明は、ＩＰネットワークに接続し、呼接続中に映像コンテンツデータを再生する電話端末であって、
コンテンツ配信サーバから受信した映像コンテンツデータを蓄積する受信データフォルダ手段と、
受信データフォルダ手段に蓄積された映像コンテンツデータを再生する受信映像再生手段と、
相手方端末から再生開始メッセージを受信した際に、映像コンテンツデータの再生開始を受信映像再生手段へ指示する送信側再生制御手段と、
サーバから送信された映像コンテンツデータの受信が完了した際に、相手方端末へ再生開始メッセージを送信し、その後、映像コンテンツデータの再生開始を受信映像再生手段へ指示する受信側再生制御手段と
を有することを特徴とする。
【００１５】
本発明の端末における他の実施形態によれば、
映像コンテンツデータは、ストリーミングデータにおける複数の分割データからなり、
受信側再生制御手段は、最初の分割データの受信を完了した際に、相手方端末へ再生開始メッセージを送信し、その後、継続する分割データをサーバから受信しつつ再生するように受信映像再生手段を制御することも好ましい。
【００１６】
また、本発明の端末における他の実施形態によれば、
送信側再生制御手段は、再生開始メッセージを受信した際に、更に、再生開始確認メッセージを相手方端末へ送信し、
受信側再生制御手段は、再生開始確認メッセージを受信した際に、映像コンテンツデータを再生するように受信映像再生手段を制御することも好ましい。
【００１７】
本発明は、ＩＰネットワークに接続し、呼接続中に映像コンテンツデータを再生することができる電話端末に搭載されたコンピュータを機能させるコンテンツ再生プログラムであって、
映像コンテンツデータを予め蓄積する送信データフォルダ手段と、
送信データフォルダ手段に蓄積された映像コンテンツデータを再生する送信映像再生手段と、
相手方端末から再生開始メッセージを受信した際に、映像コンテンツデータの再生開始を送信映像再生手段へ指示する送信側再生制御手段と、
相手方端末から受信した映像コンテンツデータを蓄積する受信データフォルダ手段と、
受信データフォルダ手段に蓄積された映像コンテンツデータを再生する受信映像再生手段と、
相手方端末から送信された映像コンテンツデータの受信が完了した際に、相手方端末へ再生開始メッセージを送信し、その後、映像コンテンツデータの再生開始を受信映像再生手段へ指示する受信側再生制御手段と
してコンピュータを機能させることを特徴とする。
【００１８】
また、本発明は、ＩＰネットワークに接続し、呼接続中に映像コンテンツデータを再生することができる電話端末に搭載されたコンピュータを機能させるコンテンツ再生プログラムであって、
コンテンツ配信サーバから受信した映像コンテンツデータを蓄積する受信データフォルダ手段と、
受信データフォルダ手段に蓄積された映像コンテンツデータを再生する受信映像再生手段と、
相手方端末から再生開始メッセージを受信した際に、映像コンテンツデータの再生開始を受信映像再生手段へ指示する送信側再生制御手段と、
サーバから送信された映像コンテンツデータの受信が完了した際に、相手方端末へ再生開始メッセージを送信し、その後、映像コンテンツデータの再生開始を受信映像再生手段へ指示する受信側再生制御手段と
してコンピュータを機能させることを特徴とする。
【００１９】
本発明のプログラムにおける他の実施形態によれば、
映像コンテンツデータは、ストリーミングデータにおける複数の分割データからなり、
受信側再生制御手段は、最初の分割データの受信を完了した際に、相手方端末へ再生開始メッセージを送信するように制御し、その後、継続する分割データを受信しつつ再生するように受信映像再生手段に指示するようにコンピュータを機能させることも好ましい。
【００２０】
また、本発明のプログラムにおける他の実施形態によれば、
送信側再生制御手段は、再生開始メッセージを受信した際に、更に、再生開始確認メッセージを第２の端末へ送信し、
受信側再生制御手段は、再生開始確認メッセージを受信した際に、映像コンテンツデータを再生するべく受信映像再生手段を制御するようにコンピュータを機能させることも好ましい。
【発明の効果】
【００２１】
本発明によれば、電話端末間の両利用者が、呼接続中に、特定の映像コンテンツデータの再生画像を同時に見ながら会話を進めることができる。特に、一方の端末において、映像コンテンツデータの受信が完了した直後に再生することができるので、利用者によるコンテンツ再生のための操作を別途必要とせず、データ転送による待ち時間の無駄な会話も減らすことができる。また、映像コンテンツデータがストリーミングデータであれば、最初の分割データを受信した際に、再生を開始するので、映像コンテンツデータの送信開始から再生開始までの時間を極力短くすることができる。
【００２２】
また、本発明によれば、コンテンツ情報通知メッセージを受信した相手方端末は、映像コンテンツデータをＷｅｂサーバから受信することができ、その映像コンテンツデータの受信が完了した際に、両端末によって同時にその映像コンテンツデータが再生される。
【発明を実施するための最良の形態】
【００２３】
以下では、図面を用いて、本発明を実施するための最良の形態について詳細に説明する。
【００２４】
図１は、本発明におけるシステム構成図である。
【００２５】
図１によれば、電話端末１は、電話事業者ネットワーク５に接続され、インターネット４を介して少なくとも呼接続サーバ３と通信をすることができる。呼接続サーバとしては、例えばＳＩＰサーバがある。ここで、電話端末１は、音声データ及び映像データを送受信することができるものであって、例えばＩＰテレビ電話端末である。ＩＰテレビ電話端末は、携帯電話機であってもよいし、カメラ及びマイクを備えるパーソナルコンピュータであってもよい。また、ＳＩＰサーバ３は、端末間で呼接続を確立するためのものであって、既存のものである。更に、本発明の他の実施形態によれば、端末１は、既存のコンテンツ配信サーバであるＷｅｂサーバ２と通信をすることができる。勿論、Ｗｅｂサーバ２及びＳＩＰサーバ３は、インターネット４に接続されるものであっても、電話事業者ネットワーク５に接続されるものであってもよい。
【００２６】
図２は、本発明によって実現されるサービスのシーケンス図である。
【００２７】
（Ｓ２０１）ＩＰテレビ電話端末Ａ及び端末Ｂは、ＳＩＰサーバ３を用いて呼接続され、インターネット４を介してＩＰテレビ電話機能による通話をしている。このとき、端末Ｂは、その端末Ｂの利用者の映像データ及び音声データを端末Ａへ送信し、端末Ａは、その映像データをディスプレイに再生し、その音声データをスピーカから再生する。同様に、端末Ａは、その端末Ａの利用者の映像データ及び音声データを端末Ｂへ送信し、端末Ｂは、その映像データをディスプレイに再生し、その音声データをスピーカから再生する。
【００２８】
このようなＩＰテレビ電話機能による通話中に、端末Ａの利用者が、端末Ｂの利用者に、特定の映像コンテンツデータを見せたいとする。例えば、端末Ａの利用者が、端末Ｂの利用者にある野球のシーンを見せたいと思い、そのシーンについて会話をしたいとする。
【００２９】
（Ｓ２０２）そのとき、端末Ａの利用者は、特定の操作をすることによって、その映像コンテンツデータを選択する。例えば、転送する映像コンテンツデータの項目リストをディスプレイ上に表示し、利用者に選択させることができる。このとき、端末Ａ及び端末Ｂの間で、少なくとも音声データは送受信なされており、端末Ａの利用者と端末Ｂの利用者との間での通話は継続している。
【００３０】
（Ｓ２０３）端末Ａの利用者によって選択された映像コンテンツデータは、端末Ａから端末Ｂへ送信される。このとき、端末Ａ及び端末Ｂの間で、少なくとも音声データも送受信されており、端末Ａの利用者と端末Ｂの利用者との間での通話は継続している。一方、映像データの通信帯域は、選択された映像コンテンツデータの送受信によって制限される。
【００３１】
（Ｓ２０４）端末Ａから端末Ｂへの映像コンテンツデータの送信が終了した時点で、その映像コンテンツデータが、端末Ａ及び端末Ｂの両方によって同時に再生される。従って、端末Ａの利用者は、端末Ｂの利用者が、その野球のシーンを同時に見ていることを前提として、会話を進めることができる。
【００３２】
図３は、図２のＳ２０３における具体的な第１のシーケンス図である。
【００３３】
（Ｓ３０１）端末Ａは、端末Ｂに対してコンテンツ送信要求メッセージを送信し、映像コンテンツデータの受信の用意を促す。
（Ｓ３０２）端末Ｂは、映像コンテンツデータの受信が可能であれば、コンテンツ送信確認メッセージＡＣＫを端末Ａへ送信する。
（Ｓ３０３）端末Ａは、利用者によって指定された映像コンテンツデータＸを端末Ｂへ送信する。
（Ｓ３０４）その後、端末Ｂは、映像コンテンツデータＸの受信が完了した際に、端末Ａに対して再生開始メッセージを送信する。
（Ｓ３０５）再生開始メッセージを受信した端末Ａは、同じ映像コンテンツデータＸの再生が可能であれば、ＡＣＫを端末Ｂへ送信する。そして、端末Ａは、映像コンテンツデータＸの再生を開始する。一方、ＡＣＫを受信した端末Ｂも、映像コンテンツデータＸの再生を開始する。これにより、映像コンテンツデータＸは、端末Ａ及び端末Ｂによってほぼ同時に再生される。勿論、端末Ｂは、再生開始メッセージを送信した（Ｓ３０４）後に、ＡＣＫを待つことなく、映像コンテンツデータＸを再生するものであってもよい。
【００３４】
図４は、図２のＳ２０３における具体的な第２のシーケンス図である。
【００３５】
（Ｓ４０１）端末Ａは、端末Ｂに対してコンテンツ送信要求メッセージを送信し、映像コンテンツデータの受信の用意を促す。
（Ｓ４０２）端末Ｂは、映像コンテンツデータの受信が可能であれば、コンテンツ送信確認メッセージＡＣＫを端末Ａへ送信する。
（Ｓ４０３）端末Ａは、利用者によって指定された映像コンテンツデータＸを端末Ｂへ送信する。このとき、映像コンテンツデータＸは、ストリーミング方式によって転送されている。従って、映像コンテンツデータＸの分割データが順に転送されることとなる。
（Ｓ４０４）最初の分割データを受信した端末Ｂは、再生開始メッセージを端末Ａへ送信する。
（Ｓ４０５）再生開始メッセージを受信した端末Ａは、最初の分割データの再生が可能であれば、ＡＣＫを端末Ｂへ送信する。そして、端末Ａは、映像コンテンツデータＸの再生を開始する。一方、ＡＣＫを受信した端末Ｂも、最初の分割データの再生を開始する。これにより、映像コンテンツデータＸにおける最初の分割データが、端末Ａ及び端末Ｂによってほぼ同時に再生される。勿論、端末Ｂは、再生開始メッセージを送信した（Ｓ４０４）後に、ＡＣＫを待つことなく、映像コンテンツデータＸを再生するものであってもよい。
（Ｓ４０６）その後、端末Ａは、映像コンテンツデータＸの分割データをストリーミング方式で送信しながら、映像コンテンツデータＸの再生を継続する。一方、端末Ｂも、端末Ａから送信された分割データを受信しながら、その分割データの再生を継続する。
【００３６】
図５は、図２のＳ２０３における具体的な第３のシーケンス図である。
【００３７】
図５は、図３のシーケンス図に対応するものであって、その映像コンテンツデータＸは、Ｗｅｂサーバ２から配信されたものである。
（Ｓ５０１）端末Ａは、コンテンツ要求メッセージＨＴＴＰ ＲｅｑｕｅｓｔをＷｅｂサーバ２へ送信する。
（Ｓ５０２）Ｗｅｂサーバ２は、コンテンツ応答メッセージＨＴＴＰ Ｒｅｓｐｏｎｓｅを端末Ａへ送信する。
（Ｓ５０３）端末Ａは、Ｗｅｂサーバ２からの映像コンテンツデータＸの受信が完了すると、端末Ｂへコンテンツ情報通知メッセージを送信する。コンテンツ情報通知メッセージには、再生すべき映像コンテンツデータＸのアドレスＵＲＬが含まれる。
【００３８】
Ｓ５０３について、端末Ａが、コンテンツ情報通知メッセージを送信するタイミングとして、２つの方法がある。第１の方法は、Ｓ５０１でコンテンツ要求メッセージを送信したＵＲＬを、自動的にコンテンツ情報通知メッセージに含めて、端末Ｂへ送信するものである。この場合、Ｓ５０１において、端末Ａの操作者は、ＵＲＬの指定だけでなく、端末Ｂとの間で当該ＵＲＬに基づく同時再生を行うことも指定する。これにより、端末Ａは、Ｓ５０２によるコンテンツデータの受信が完了すると、コンテンツ情報通知メッセージを自動的に端末Ｂへ送信することができる。
【００３９】
第２の方法は、Ｓ５０３について、端末Ａの操作者が同時再生の操作をした際に、指定されたＵＲＬを含むコンテンツ情報通知メッセージを、端末Ｂへ送信するものである。この場合、端末Ａは、当該ＵＲＬに基づくコンテンツデータを予め所持していることを要する。
【００４０】
（Ｓ５０４）端末Ｂは、端末Ａから受信したコンテンツ情報通知メッセージに含まれるＵＲＬに対して、コンテンツ要求メッセージＨＴＴＰ Ｒｅｑｕｅｓｔを送信する。
（Ｓ５０５）Ｗｅｂサーバ２は、コンテンツ応答メッセージＨＴＴＰ Ｒｅｓｐｏｎｓｅを端末Ｂへ送信する。これにより、映像コンテンツデータＸが端末Ｂによって受信される。
（Ｓ５０６）端末Ｂは、Ｗｅｂサーバ２からの映像コンテンツデータＸの受信が完了した際に、再生開始メッセージを端末Ａへ送信する。
（Ｓ５０７）再生開始メッセージを受信した端末Ａは、同じ映像コンテンツデータＸの再生が可能であれば、ＡＣＫを端末Ｂへ送信する。そして、端末Ａは、映像コンテンツデータＸの再生を開始する。一方、ＡＣＫを受信した端末Ｂも、映像コンテンツデータＸの再生を開始する。これにより、映像コンテンツデータＸは、端末Ａ及び端末Ｂによってほぼ同時に再生される。勿論、端末Ｂは、再生開始メッセージを送信した（Ｓ５０６）後に、ＡＣＫを待つことなく、映像コンテンツデータＸを再生するものであってもよい。
【００４１】
図６は、図２のＳ２０３における具体的な第４のシーケンス図である。
【００４２】
図６は、図４のシーケンス図に対応するものであって、その映像コンテンツデータＸは、Ｗｅｂサーバ２から配信されたものである。
（Ｓ６０１）端末Ａは、コンテンツ要求メッセージＨＴＴＰ ＲｅｑｕｅｓｔをＷｅｂサーバ２へ送信する。
（Ｓ６０２）Ｗｅｂサーバ２は、コンテンツ応答メッセージＨＴＴＰ Ｒｅｓｐｏｎｓｅを端末Ａへ送信する。
（Ｓ６０３）端末Ａは、Ｗｅｂサーバ２からの映像コンテンツデータＸの受信が完了すると、端末Ｂへコンテンツ情報通知メッセージを送信する。コンテンツ情報通知メッセージには、再生すべき映像コンテンツデータＸのアドレスＵＲＬが含まれる。
【００４３】
（Ｓ６０４）端末Ｂは、端末Ａから受信したコンテンツ情報通知メッセージに含まれるＵＲＬに対して、コンテンツ要求メッセージＨＴＴＰ Ｒｅｑｕｅｓｔを送信する。
（Ｓ６０５）Ｗｅｂサーバ２は、コンテンツ応答メッセージＨＴＴＰ Ｒｅｓｐｏｎｓｅを端末Ｂへ送信する。このとき、映像コンテンツデータＸは、ストリーミング方式によって転送されている。従って、映像コンテンツデータＸの分割データが順に転送されることとなる。
（Ｓ６０６）最初の分割データを受信した端末Ｂは、再生開始メッセージを端末Ａへ送信する。
（Ｓ６０７）再生開始メッセージを受信した端末Ａは、最初の分割データの再生が可能であれば、ＡＣＫを端末Ｂへ送信する。そして、端末Ａは、映像コンテンツデータＸの再生を開始する。一方、ＡＣＫを受信した端末Ｂも、最初の分割データの再生を開始する。これにより、映像コンテンツデータＸにおける最初の分割データが、端末Ａ及び端末Ｂによってほぼ同時に再生される。勿論、端末Ｂは、再生開始メッセージを送信した（Ｓ６０６）後に、ＡＣＫを待つことなく、映像コンテンツデータＸを再生するものであってもよい。
（Ｓ６０８）その後、端末Ｂは、Ｗｅｂサーバ２から映像コンテンツデータＸの分割データをストリーミング方式で受信しながら、映像コンテンツデータＸの再生を継続する。これにより、映像コンテンツデータＸは、端末Ａ及び端末Ｂによってほぼ同時に再生される。
【００４４】
尚、図５及び図６によれば、端末Ａは、Ｗｅｂサーバ２からコンテンツデータの全てを受信した（Ｓ５０２、Ｓ６０２）後で、コンテンツ情報通知メッセージを端末Ｂへ送信している（Ｓ５０３、Ｓ６０３）。しかしながら、コンテンツデータがストリーミング形式である場合、端末Ａは、コンテンツデータの全てをＷｅｂサーバ２から受信することなく、一部のコンテンツデータを受信した際に、コンテンツ情報通知メッセージを端末Ｂへ送信することもできる。これにより、端末Ａも、Ｗｅｂサーバ２からストリーミング形式のコンテンツデータを受信しつつ再生することができる。
【００４５】
図７は、本発明における端末の第１の機能構成図である。これら機能部は、コンピュータによるプログラムの実行によって実現されるものであってもよい。
【００４６】
図７に表された端末１は、インターネット４との間でパケットを送受信するデータ送受信部１０１と、ＵＤＰ／ＩＰプロトコル処理部１０２とを有する。また、端末１は、データの送信側部分として、パケット多重化部１０３と、音声データに対するマイク１１０と、増幅器１１１と、Ａ／Ｄ変換部１１２と、音声エンコーダ１１３と、映像データに対するカメラ１２０と、フォーマット変換部１２１と、映像エンコーダ１２２とを有する。一方、端末１は、データの受信側部分として、パケット分離部１０４と、映像データに対するディスプレイ１３０と、ディスプレイ制御部１３１と、映像デコーダ１３２と、音声データに対するスピーカ１４０と、増幅器１４１と、Ｄ／Ａ変換部１４２と、音声デコーダ１４３とを有する。これら機能部は、既存のＩＰテレビ電話機能を実現する上で必要となるものであり、本発明の特徴をなすものではない。
【００４７】
本発明によれば、送信側機能として、送信側再生制御部１５１と、送信データフォルダ部１５２と、送信映像再生部１５３とを有し、受信側機能として、受信側再生制御部１６１と、受信データフォルダ部１６２と、受信映像再生部１６３を有する。尚、映像データ切替部１２３及び１３３は、ＩＰテレビ電話における映像データと、利用者によって選択された映像コンテンツデータとを切り替える。映像データ切替部１２３及び１３３の切替操作は、利用者による映像コンテンツデータの送信操作に対応する。
【００４８】
尚、送信映像再生部１５３及び受信映像再生部１６３によって映像コンテンツデータが再生されている際に、映像データ切替部１２３は、映像エンコーダ１２２及び送信データフォルダ１５２のいずれにも接続されず、切り離された状態になる。同様に、映像データ切替部１３３も、映像デコーダ１３２及び受信データフォルダ１６２のいずれにも接続されず、切り離された状態になる。これにより、端末１は、映像データ又は映像コンテンツデータの送受信を行うことなく、その処理能力を映像コンテンツの再生のみに注力することができる。
【００４９】
送信データフォルダ部１５２は、相手方端末へ送信することができる映像コンテンツデータを蓄積するものである。利用者の操作によって、特定の映像コンテンツデータが、映像データ切替部１２３を介して、パケット多重されて送信される。また、送信データフォルダ部１５２は、相手方端末へ送信した映像コンテンツデータを送信映像再生部１５３へ通知する。
【００５０】
送信側再生制御部１５１は、パケット分離部１０４から再生開始メッセージが通知（相手方端末から再生開始メッセージを受信）された際に、パケット多重化部１０３へＡＣＫを通知し（相手方端末へＡＣＫを送信）、更に、送信映像再生部１５３へ再生開始を指示する。
【００５１】
送信映像再生部１５３は、送信側再生制御部１５１からの再生開始の指示によって、送信データフォルダ部１５２から、送信された映像コンテンツデータを取得し、映像信号に再生し、その映像信号をディスプレイ制御部１３１へ通知する。
【００５２】
受信データフォルダ部１６２は、相手方端末から受信した映像コンテンツデータを蓄積するものである。映像コンテンツデータは、映像データ切替部１３３を介して、パケット分離部１０４から受信される。また、受信データフォルダ部１６２は、映像コンテンツデータの受信が完了すると、受信完了の旨を受信側再生制御部１６１へ通知する。更に、受信データフォルダ部１６２は、映像コンテンツデータを再生する際に、その映像コンテンツデータを受信映像再生部１６３へ通知する。
【００５３】
受信側再生制御部１６１は、パケット分離部１０４からＡＣＫが通知（相手方端末からＡＣＫを受信）された際に、受信映像再生部１６３へ再生開始を指示する。また、受信側再生制御部１６１は、受信データフォルダ部１６２から受信完了の通知を受けると、パケット多重化部１０３へ再生開始を通知（相手方端末へ再生開始メッセージの送信）する。尚、パケット多重化部１０３へ再生開始を通知した後に、パケット分離部１０４からのＡＣＫの通知を待つことなく、受信映像再生部１６３へ再生開始を指示するものであってもよい。
【００５４】
受信映像再生部１６３は、受信側再生制御部１６１から再生開始の指示を受けた際に、受信データフォルダ部１６２から映像コンテンツデータを取得し、映像信号に再生し、その映像信号をディスプレイ制御部１３１へ通知する。
【００５５】
パケット多重化部１０３及びパケット分離部１０４は、例えば、以下の表１のようなフォーマットのパケットを生成又は分離する。
【表１】
2006229726.tif 000003
【００５６】
データ種別は、「再生制御メッセージ無し」「再生制御メッセージ有り／再生開始指示」「再生制御メッセージ有り／ＡＣＫ指示」「コンテンツ情報通知／ＵＲＬ」の情報を含む。また、映像データ種別が、「ＩＰテレビ電話」又は「映像コンテンツデータ」の情報も含む。
【００５７】
図８は、本発明における端末の第２の機能構成図である。
【００５８】
図８は、図７の機能構成図と比較して、再生される映像コンテンツデータがＷｅｂサーバ２から受信されたものである点が相違する。
【００５９】
受信データフォルダ部１６２は、ＨＴＴＰ／ＴＣＰ／ＩＰ処理部１０５を介して、インターネット４に接続されたＷｅｂサーバ２から、映像コンテンツデータを受信し且つ蓄積する。また、受信データフォルダ部１６２は、映像コンテンツデータの受信が完了すると、受信完了の旨を受信側再生制御部１６１へ通知する。更に、受信データフォルダ部１６２は、映像コンテンツデータを再生する際に、その映像コンテンツデータを受信映像再生部１６３へ通知する。
【００６０】
受信側再生制御部１６１は、パケット分離部１０４からＡＣＫが通知される（相手方端末からＡＣＫを受信）と、受信映像再生部１６３へ再生開始を指示する。これにより、受信映像再生部１６３は、受信データフォルダ部１６２から映像コンテンツデータを取得し、映像信号に再生し、その映像信号をディスプレイ制御部１３１へ通知する。また、受信側再生制御部１６１は、受信データフォルダ部１６２から映像コンテンツデータの受信完了の通知を受けると、パケット多重化部１０３へ再生開始を通知（相手方端末へ再生開始メッセージを送信）する。尚、パケット多重化部１０３へ再生開始を通知した後に、パケット分離部１０４からのＡＣＫの通知を待つことなく、受信映像再生部１６３へ再生開始を指示するものであってもよい。
【００６１】
送信側再生制御部１５１は、パケット分離部１０４から再生開始メッセージが通知される（相手方端末から再生開始メッセージを受信）と、パケット多重化部１０３へＡＣＫを通知し（相手方端末へＡＣＫを送信）、更に、受信映像再生部１６３へ再生開始を指示する。これにより、受信映像再生部１６３は、受信データフォルダ部１６２から映像コンテンツデータを取得し、映像信号に再生し、その映像信号をディスプレイ制御部１３１へ通知する。
【００６２】
尚、受信映像再生部１６３によって映像コンテンツデータが再生されている際に、映像データ切替部１２３は、映像エンコーダ１２２に接続されず、切り離された状態になる。同様に、映像データ切替部１３３も、映像デコーダ１３２に接続されず、切り離された状態になる。これにより、端末１は、映像データ又は映像コンテンツデータの送受信を行うことなく、その処理能力を映像コンテンツの再生のみに注力することができる。
【００６３】
前述した本発明における種々の実施形態によれば、本発明の技術思想及び見地の範囲の種々の変更、修正及び省略を、当業者は容易に行うことができる。前述の説明はあくまで例であって、何ら制約しようとするものではない。本発明は、特許請求の範囲及びその均等物として限定するものにのみ制約される。
【図面の簡単な説明】
【００６４】
【図１】本発明におけるシステム構成図である。
【図２】本発明によって実現されるサービスのシーケンス図である。
【図３】図２のＳ２０３における具体的な第１のシーケンス図である。
【図４】図２のＳ２０３における具体的な第２のシーケンス図である。
【図５】図２のＳ２０３における具体的な第３のシーケンス図である。
【図６】図２のＳ２０３における具体的な第４のシーケンス図である。
【図７】本発明における端末の第１の機能構成図である。
【図８】本発明における端末の第２の機能構成図である。
【符号の説明】
【００６５】
１  ＩＰテレビ電話端末
１０１  データ送受信部
１０２  ＵＤＰ／ＩＰプロトコル処理部
１０３  パケット多重化部
１０４  パケット分離部
１０５  ＨＴＴＰ／ＴＣＰ／ＩＰ処理部
１１０  マイク
１１１  増幅器
１１２  Ａ／Ｄ変換部
１１３  音声エンコーダ
１２０  カメラ
１２１  フォーマット変換部
１２２  映像エンコーダ
１２３  映像データ切替部
１３０  ディスプレイ
１３１  ディスプレイ制御部
１３２  映像デコーダ
１４０  スピーカ
１４１  増幅器
１４２  Ｄ／Ａ変換部
１４３  音声デコーダ
１５１  送信側再生制御部
１５２  送信データフォルダ部
１５３  送信映像再生部
１６１  受信側再生制御部
１６２  受信データフォルダ部
１６３  受信映像再生部
２  Ｗｅｂサーバ、コンテンツ配信サーバ
３  ＳＩＰサーバ、呼接続制御サーバ
４  インターネット
５  電話事業者ネットワーク
【図１】
2006229726.tif 000004
【図２】
2006229726.tif 000005
【図３】
2006229726.tif 000006
【図４】
2006229726.tif 000007
【図５】
2006229726.tif 000008
【図６】
2006229726.tif 000009
【図７】
2006229726.tif 000010
【図８】
2006229726.tif 000011